【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
クラウドソーシングデータを報告するためのモバイルデバイスにおける方法であって、
基地局アルマナックサーバから、基地局アルマナックを受信することと、
少なくとも１つの基地局に関するクラウドソーシング情報を収集することと、収集することは、前記少なくとも１つの基地局の各基地局に対して、
各基地局に関する識別子を識別することと、
各基地局に関する前記モバイルデバイスの位置推定を決定することと、
を備え、
前記基地局アルマナックに基づいてクラウドソーシングの調節を決定することと、
前記クラウドソーシングの調節に基づいて前記基地局アルマナックサーバに、前記クラウドソーシング情報を送ることと
を備える方法。
【請求項２】
前記クラウドソーシングの調節を決定することは、前記クラウドソーシング情報がいつ送られるかを決定する、請求項１に記載の方法。
【請求項３】
前記基地局アルマナックに基づいて前記クラウドソーシングの調節を決定することは、利用可能な場合、定期的に、または、前記モバイルデバイスのメモリのブロックがいっぱいの場合、前記クラウドソーシング情報が送られることを決定することを備える、請求項１に記載の方法。
【請求項４】
前記基地局アルマナックに基づいて前記クラウドソーシングの調節を決定することは、前記クラウドソーシング情報が前記基地局アルマナックにおける情報に基づいて送られることを決定することを備える、請求項１に記載の方法。
【請求項５】
前記クラウドソーシングの調節は、前記基地局アルマナックにおける情報の不一致に関するしきい値を備え、ここにおいて、前記クラウドソーシングの調節に基づいて前記基地局アルマナックサーバに、前記クラウドソーシング情報を送ることは、前記しきい値よりも大きい、前記基地局アルマナックにおける前記情報の不一致が存在することを決定し、これに応じて、前記クラウドソーシング情報を送ることを備え、前記基地局アルマナックにおける前記情報の前記不一致は、好ましくは、前記基地局アルマナックからの一組の情報を使用して得られた前記モバイルデバイスに関する第１の位置推定と、異なる組の情報を使用して得られた前記モバイルデバイスに関する第２の位置推定との間のものである、請求項１に記載の方法。
【請求項６】
前記クラウドソーシングの調節は、前記クラウドソーシング情報が送られる基地局を識別し、および／または、前記少なくとも１つの基地局に関する前記クラウドソーシング情報を前記収集することは、前記クラウドソーシングの調節に基づき、および／または、前記収集することは、
前記少なくとも１つの基地局と前記モバイルデバイスとの間の範囲情報を測定することをさらに備え、
前記クラウドソーシング情報は、前記範囲情報をさらに備える、請求項１に記載の方法。
【請求項７】
基地局に、識別子とともに前記基地局アルマナックに対する要求を送ることと、
前記クラウドソーシングの調節とともに前記基地局アルマナックを受信することと
をさらに備える請求項１に記載の方法。
【請求項８】
クラウドソーシングデータを調節するためのモバイルデバイスであって、
基地局アルマナックサーバから、基地局アルマナックを受信し、
基地局の識別子を受信し、
前記基地局アルマナックサーバに、クラウドソーシング情報を送る
ように構成された送受信装置と、
前記送受信装置に結合され、少なくとも１つの基地局に関するクラウドソーシング情報を収集するように構成されたプロセッサと、を備え、
ここにおいて、前記プロセッサは、前記少なくとも１つの基地局の各基地局に対して、
各基地局に関する識別子を識別し、
各基地局に関する前記モバイルデバイスの位置推定を決定する
ように構成されることによって、クラウドソーシング情報を収集するように構成され、
前記プロセッサは、前記基地局アルマナックに基づいてクラウドソーシングの調節を決定し、および前記クラウドソーシングの調節に基づいて前記基地局アルマナックサーバに、前記送受信装置を用いて前記クラウドソーシング情報を送るようにさらに構成される、
モバイルデバイス。
【請求項９】
前記クラウドソーシングの調節は、前記クラウドソーシング情報がいつ送られるかを示し、および／または、前記クラウドソーシングの調節は、前記クラウドソーシング情報が利用可能な場合、定期的に、または、前記モバイルデバイスのメモリのブロックがいっぱいの場合、前記モバイルデバイスが前記クラウドソーシング情報を送ることを示す、請求項８に記載のモバイルデバイス。
【請求項１０】
前記クラウドソーシングの調節は、前記モバイルデバイスが前記クラウドソーシング情報をいつ送るかが前記基地局アルマナックにおける情報に基づくことを示す、請求項８に記載のモバイルデバイス。
【請求項１１】
前記クラウドソーシングの調節は、前記基地局アルマナックにおける情報の不一致に関するしきい値を備え、ここにおいて、前記プロセッサは、前記しきい値よりも大きい、前記基地局アルマナックにおける前記情報の不一致が存在することを決定し、これに応じて、前記クラウドソーシング情報を送るように構成されることによって、前記クラウドソーシングの調節に基づいて前記基地局アルマナックサーバに、前記送受信装置を用いて前記クラウドソーシング情報を送るように構成され、前記基地局アルマナックにおける前記情報の前記不一致は、好ましくは、前記基地局アルマナックからの一組の情報を使用して得られた前記モバイルデバイスに関する第１の位置推定と、異なる組の情報を使用して得られた前記モバイルデバイスに関する第２の位置推定との間のものである、請求項８に記載のモバイルデバイス。
【請求項１２】
前記クラウドソーシングの調節は、前記クラウドソーシング情報が送られる基地局を識別する、請求項８に記載のモバイルデバイス。
【請求項１３】
前記プロセッサは、前記クラウドソーシングの調節に基づいて前記少なくとも１つの基地局に関するクラウドソーシング情報を収集するようにさらに構成される、請求項８に記載のモバイルデバイス。
【請求項１４】
前記収集することは、
前記少なくとも１つの基地局と前記モバイルデバイスとの間の範囲情報を測定することをさらに備え、
前記クラウドソーシング情報は、前記範囲情報をさらに備える、
請求項８に記載のモバイルデバイス。
【請求項１５】
プロセッサによって実行されると、前記プロセッサに、請求項１から請求項７のうちのいずれか一項の方法のステップを実行させる、そこに格納されたプログラムコードを含む、非一時的コンピュータ可読記憶媒体。
【手続補正２】
【補正対象書類名】明細書
【補正対象項目名】００５７
【補正方法】変更
【補正の内容】
【００５７】
[0067]開示された態様の以前の記述は、当業者が本開示を構成または使用できるように提供される。これらの態様への様々な変更は、当業者に容易に明白になるであろう。また、本明細書に規定した一般的な原理は、本開示の精神または範囲から外れることなく、他の態様に適用され得る。
以下に本願の出願当初の特許請求の範囲に記載された発明を付記する。
[Ｃ１]  クラウドソーシングデータを調節するためのモバイルデバイスにおける方法であって、
基地局アルマナックサーバから、現在のセル識別子に基づく基地局アルマナックを受信することと、
少なくとも１つの基地局に関するクラウドソーシング情報を収集することと、収集することは、前記少なくとも１つの基地局の各特定の基地局に対して、
前記特定の基地局に対してセルラー識別子を識別することと、
前記特定の基地局からの信号と無関係な前記モバイルデバイスの位置推定を決定することと、
前記特定の基地局に関するクラウドソーシング情報を記録することと、ここにおいて、前記クラウドソーシング情報は、
前記セルラー識別子と、
前記モバイルデバイスの前記位置推定と
を備える、
を備える、
前記クラウドソーシング情報を報告するためにクラウドソーシングの調節に基づいて前記基地局アルマナックサーバに、前記クラウドソーシング情報を送ることとを備える方法。
[Ｃ２]  前記クラウドソーシングの調節を備えるクラウドソーシングの調節コマンドを受信することをさらに備えるＣ１に記載の方法。
[Ｃ３]  前記クラウドソーシングの調節は、前記基地局アルマナックの品質を示すＣ２に記載の方法。
[Ｃ４]  前記クラウドソーシングの調節は、ネットワークを使用するモバイルデバイスに対して、どのネットワークタイプが前記クラウドソーシングの調節による影響を受けるかを示すＣ２に記載の方法。
[Ｃ５]  前記クラウドソーシングの調節は、前記クラウドソーシング情報を送ることの有効／無効を示すＣ１に記載の方法。
[Ｃ６]  前記クラウドソーシングの調節は、前記クラウドソーシング情報を送るためのレベルを示し、ここにおいて、前記レベルは、少なくとも４レベルを備えるＣ１に記載の方法。
[Ｃ７]  前記レベルは、前記クラウドソーシング情報を送るための割合を備えるＣ６に記載の方法。
[Ｃ８]  前記クラウドソーシングの調節は、どのモバイルのタイプが前記クラウドソーシングの調節による影響を受けるかを示すＣ１に記載の方法。
[Ｃ９]  前記クラウドソーシングの調節は、どのレベルの不一致が前記クラウドソーシングの調節による影響を受けるかを示すＣ１に記載の方法。
[Ｃ１０]  前記現在のセル識別子と前記基地局アルマナックに対する要求を送る、
前記基地局アルマナックの要求に基づいて、前記基地局アルマナックと前記クラウドソーシングの調節を備えるクラウドソーシングの調節コマンドとを受信することとをさらに備えるＣ１に記載の方法。
[Ｃ１１]  前記クラウドソーシング情報の収集は、規定された期間の間に訪問された各セルからの前記クラウドソーシング情報を収集することを備えるＣ１に記載の方法。
[Ｃ１２]  前記セルラー識別子は、セルＩＤを備えるＣ１に記載の方法。
[Ｃ１３]  前記セルラー識別子は、ロケーションエリアコード（ＬＡＣ）と、トラッキングエリアコード（ＴＡＣ）と、システム識別情報（ＳＩＤ）と、ネットワーク識別子（ＮＩＤ）との少なくとも１つをさらに備えるＣ１２に記載の方法。
[Ｃ１４]  収集することは、
前記特定の基地局と前記モバイルデバイスの間の範囲情報を測定することをさらに備え、
ここにおいて、前記クラウドソーシング情報は、前記範囲情報をさらに備えるＣ１に記載の方法。
[Ｃ１５]  前記モバイルデバイスの前記位置推定は、全地球型衛星航法システム（ＧＮＳＳ）位置推定を備えるＣ１に記載の方法。
[Ｃ１６]  前記ＧＮＳＳ位置推定は、全地球測位システム（ＧＰＳ）位置推定を備えるＣ１５に記載の方法。
[Ｃ１７]  前記モバイルデバイスの前記位置推定は、基地局の信号に基づく位置推定を備えるＣ１に記載の方法。
[Ｃ１８]  前記クラウドソーシング情報を送ることは、前記クラウドソーシング情報で、新しい現在のセル識別子に基づいて前記基地局アルマナックに対する要求を送ることを備えるＣ１に記載の方法。
[Ｃ１９]  前記特定の基地局に関する前記クラウドソーシング情報は、前記特定の基地局の基地局周波数をさらに備えるＣ１に記載の方法。
[Ｃ２０]  前記特定の基地局から、前記特定の基地局の緯度と経度とを受信することをさらに備え、
ここにおいて、前記特定の基地局に関する前記クラウドソーシング情報は、前記緯度と前記経度とをさらに備えるＣ１に記載の方法。
[Ｃ２１]  クラウドソーシングデータを調節するための基地局アルマナックサーバにおける方法であって、
モバイルデバイスに対する現在のセル識別子を受信することと、
前記現在のセル識別子に基づく基地局アルマナックを得ることと、
前記モバイルデバイスに前記基地局アルマナックに送ることと、
クラウドソーシング調節に基づいて、少なくとも１つの基地局の各々の特定の基地局に対して、
前記特定の基地局を識別するセルラー識別子と、
前記特定の基地局からの信号と無関係な前記モバイルデバイスの位置推定と
を備えるクラウドソーシング情報を受信することとを備える方法。
[Ｃ２２]  前記モバイルデバイスに、前記クラウドソーシング情報を報告する際に前記モバイルデバイスによって使用するための前記クラウドソーシング調節を備えるクラウドソーシングの調節コマンドをさらに備えるＣ２１に記載の方法。
[Ｃ２３]  範囲情報を受信することをさらに備え、
ここにおいて、前記クラウドソーシング情報は、前記少なくとも１つの基地局の各特定の基地局に対して、前記特定の基地局に対して前記範囲情報をさらに備えるＣ２１に記載の方法。
[Ｃ２４]  クラウドソーシングデータを調節するためのモバイルデバイスであって、
基地局アルマナックサーバから、現在のセル識別子に基づく基地局アルマナックを受信し、
少なくとも１つの基地局の各特定の基地局に対する位置で、前記特定の基地局のセルラー識別子を受信し、
基地局アルマナックサーバに、クラウドソーシング調節に基づいて、クラウドソーシング情報を送る
ように構成されたワイヤレスワイドエリアネットワーク（ＷＷＡＮ）送受信装置と、
前記ＷＷＡＮ送受信装置に結合され、少なくとも１つの基地局の各特定の基地局に対する前記セルラー識別子を受信するときに、前記位置に対応するモバイルデバイスの位置推定を決定するように構成されたプロセッサと、ここにおいて、前記位置推定は、前記特定の基地局からの信号に無関係である、を備え、
ここにおいて、前記クラウドソーシング情報は、前記少なくとも１つの基地局の各特定の基地局に対して、
前記セルラー識別子と、
前記セルラー識別子に対応する前記位置推定と
を備えるモバイルデバイス。
[Ｃ２５]  前記ＷＷＡＮ送受信装置は、前記クラウドソーシング調節を備えるクラウドソーシングの調節コマンドを受信するようにさらに構成されるＣ２４に記載のモバイルデバイス。
[Ｃ２６]  前記ＷＷＡＮ送受信装置は、
現在のセル識別子と前記基地局アルマナックに対する要求とを送り、
前記基地局アルマナックと、前記クラウドソーシング調節を備えるクラウドソーシングの調節コマンドとを受信するようにさらに構成されるＣ２４に記載のモバイルデバイス。
[Ｃ２７]  前記プロセッサは、
前記少なくとも１つの基地局の各特定の基地局に対して、前記特定の基地局と前記モバイルデバイスの間で、範囲情報を測定するようにさらに構成され、
ここにおいて、前記クラウドソーシング情報は、前記範囲情報をさらに備えるＣ２４に記載のモバイルデバイス。
[Ｃ２８]  前記モバイルデバイスの前記位置推定は、全地球型衛星航法システム（ＧＮＳＳ）信号に基づくＣ２４に記載のモバイルデバイス。
[Ｃ２９]  前記モバイルデバイスの前記位置推定は、基地局の信号に基づくＣ２４に記載のモバイルデバイス。
[Ｃ３０]  クラウドソーシングデータを調節するための基地局アルマナックサーバであって、
クラウドソーシングの調節に基づいて、クラウドソーシング情報を受信し、ここにおいて、前記クラウドソーシング情報は、少なくとも１つの基地局の各特定の基地局に対して、
前記特定の基地局を識別するセルラー識別子と、
前記セルラー識別子に対応する、前記特定のモバイルデバイスの位置推定と、ここにおいて、前記位置推定は、前記特定の基地局からの信号に無関係である、
を備える、
前記特定のモバイルデバイスに基地局アルマナックを送る
ように構成されたネットワーク送受信装置と、
ネットワーク送受信装置に結合され、
現在のセル識別子に基づいて基地局アルマナックを形成し、
前記特定のモバイルデバイスの基地局に基づく位置推定の位置推定を更新する
ように構成されたプロセッサとを備える基地局アルマナックサーバ。
[Ｃ３１]  前記ネットワーク送受信装置は、前記クラウドソーシングの調節を備えるクラウドソーシングの調節コマンドを送るようにさらに構成されるＣ３０に記載の基地局アルマナックサーバ。
[Ｃ３２]  前記ネットワーク送受信装置は、前記現在のセル識別子と前記基地局アルマナックに対する要求とを受信するようにさらに構成されるＣ３０に記載の基地局アルマナックサーバ。
[Ｃ３３]  前記ネットワーク送受信装置は、
前記少なくとも１つの基地局に関する範囲情報を受信するようにさらに構成され、
ここにおいて、前記クラウドソーシング情報は、前記範囲情報をさらに備えるＣ３０に記載の基地局アルマナックサーバ。
[Ｃ３４]  前記特定のモバイルデバイスの前記位置推定は、全地球型衛星航法システム（ＧＮＳＳ）信号に基づくＣ３０に記載の基地局アルマナックサーバ。
[Ｃ３５]  前記特定のモバイルデバイスの前記位置推定は、基地局の信号に基づくＣ３０に記載の基地局アルマナックサーバ。
[Ｃ３６]  クラウドソーシングデータを調節するためのモバイルデバイスであって、
基地局アルマナックサーバから、現在のセル識別子に基づく基地局アルマナックを受信するための手段と、
少なくとも１つの基地局に関するクラウドソーシング情報を収集するための手段と、収集することは、前記少なくとも１つの基地局の各特定の基地局に対して、
前記特定の基地局に対してセルラー識別子を識別するための手段と、
前記特定の基地局からの信号と無関係な前記モバイルデバイスの位置推定を決定するための手段と、
前記特定の基地局に関するクラウドソーシング情報を記録するための手段と、ここにおいて、前記クラウドソーシング情報は、
前記セルラー識別子と、
前記モバイルデバイスの前記位置推定と
を備える、
を備える、
前記クラウドソーシング情報を報告するためにクラウドソーシングの調節に基づいて、前記基地局アルマナックサーバに、前記クラウドソーシング情報を送るための手段とを備えるモバイルデバイス。
[Ｃ３７]  前記クラウドソーシングの調節を備えるクラウドソーシングの調節コマンドを受信するための手段をさらに備えるＣ３６に記載のモバイルデバイス。
[Ｃ３８]  前記現在のセル識別子を送り、前記基地局アルマナックを要求するための手段をさらに備えるＣ３６に記載のモバイルデバイス。
[Ｃ３９]  前記特定の基地局と前記モバイルデバイスの間の範囲情報を測定するための手段をさらに備え、
ここにおいて、前記クラウドソーシング情報は、前記範囲情報をさらに備える、Ｃ３６に記載のモバイルデバイス。
[Ｃ４０]  前記モバイルデバイスの前記位置推定は、全地球型衛星航法システム（ＧＮＳＳ）信号に基づくＣ３６に記載のモバイルデバイス。
[Ｃ４１]  前記モバイルデバイスの前記位置推定は、基地局の信号に基づくＣ３６に記載のモバイルデバイス。
[Ｃ４２]  クラウドソーシングデータを調節するための基地局アルマナックサーバであって、
モバイルデバイスに対する現在のセル識別子を受信するための手段と、
前記現在のセル識別子に基づく基地局アルマナックを得るための手段と、
前記モバイルデバイスに前記基地局アルマナックに送るための手段と、
クラウドソーシングの調節に基づいて、前記少なくとも１つの基地局の各々の特定の基地局に対して、
前記特定の基地局を識別するセルラー識別子と、
前記特定の基地局からの信号と無関係な前記モバイルデバイスの位置推定と
を備えるクラウドソーシング情報を受信するための手段とを備える基地局アルマナックサーバ。
[Ｃ４３]  前記モバイルデバイスに、前記クラウドソーシング情報を報告する際に前記モバイルデバイスによって使用するために前記クラウドソーシングの調節を備えるクラウドソーシングの調節コマンドを送信するための手段をさらに備えるＣ４２に記載の基地局アルマナックサーバ。
[Ｃ４４]  範囲情報を受信するための手段をさらに備え、
ここにおいて、前記クラウドソーシング情報は、前記少なくとも１つの基地局の各特定の基地局に対して、前記特定の基地局に対して前記範囲情報をさらに備えるＣ４２に記載の基地局アルマナックサーバ。
[Ｃ４５]  モバイルデバイスがクラウドソーシングデータを調節するための、そこに格納されたプログラムコードを含む非一時的コンピュータ可読記憶媒体であって、
基地局アルマナックサーバから、現在のセル識別子に基づく基地局アルマナックを受信し、
少なくとも１つの基地局に関するクラウドソーシング情報を収集し、収集するためのプログラムコードは、前記少なくとも１つの基地局の各特定の基地局に対して、
前記特定の基地局に対してセルラー識別子を識別し、
前記特定の基地局からの信号と無関係な前記モバイルデバイスの位置推定を決定し、
前記特定の基地局に関するクラウドソーシング情報を記録する、ここにおいて、前記クラウドソーシング情報は、
前記セルラー識別子と、
前記モバイルデバイスの前記位置推定と
を備える
ためのコードを備える、
前記クラウドソーシング情報を報告するためにクラウドソーシングの調節に基づいて前記基地局アルマナックサーバに、前記クラウドソーシング情報を送るためのプログラムコードを備える非一時的コンピュータ可読記憶媒体。
[Ｃ４６]  前記プログラムコードは、前記クラウドソーシングの調節を備えるクラウドソーシングの調節コマンドを受信するためにプログラムコードをさらに備えるＣ４５に記載の非一時的コンピュータ可読記憶媒体。
[Ｃ４７]  前記プログラムコードは、
前記特定の基地局と前記モバイルデバイスの間で、前記少なくとも１つの基地局の各特定の基地局に対する範囲情報を測定するためのプログラムコードをさらに備え、
ここにおいて、前記クラウドソーシング情報は、前記範囲情報をさらに備えるＣ４５に記載の非一時的コンピュータ可読記憶媒体。
[Ｃ４８]  基地局アルマナックサーバでクラウドソーシングデータを調節するための、そこに格納されたプログラムコードを含む非一時的コンピュータ可読記憶媒体であって、
モバイルデバイスから、現在のセル識別子を受信し、
現在のセル識別子に基づく基地局アルマナックを得て、
前記モバイルデバイスに、および前記基地局アルマナックサーバから、前記基地局アルマナックを送り、
クラウドソーシングの調節に基づいて、特定の基地局を含む少なくとも１つの基地局に対して、基地局アルマナックサーバでクラウドソーシング情報を受信し、ここにおいて、前記クラウドソーシング情報は、
前記特定の基地局を識別するセルラー識別子と、
前記特定の基地局からの信号と無関係な前記モバイルデバイスの位置推定と
を備えるレコードを備える、プログラムコードを備える非一時的コンピュータ可読記憶媒体。
[Ｃ４９]  前記プログラムコードは、前記クラウドソーシングの調節を備えるクラウドソーシングの調節コマンドを送るためにプログラムコードをさらに備えるＣ４８に記載の非一時的コンピュータ可読記憶媒体。
[Ｃ５０]  前記プログラムコードは、
前記少なくとも１つの基地局に関する範囲情報を受信するためのプログラムコードを備え、
ここにおいて、前記クラウドソーシング情報は、前記範囲情報をさらに備えるＣ４８に記載の非一時的コンピュータ可読記憶媒体。
[Ｃ５１]  クラウドソーシングデータを調節するためのモバイルデバイスにおける方法であって、
基地局アルマナックサーバから、現在のセル識別子に基づく基地局アルマナックを受信することと、
少なくとも３つの基地局の各特定の基地局に対して、前記特定の基地局に対するセルラー識別子を識別することと、
前記少なくとも３つの基地局の位置に基づいて前記モバイルデバイスの第１の位置推定を計算することと、
前記モバイルデバイスの第２の位置推定を決定することと、ここにおいて、前記モバイルデバイスの前記第２の位置推定は、前記少なくとも３つの基地局からの信号に無関係である、
不一致が、第１の位置推定としきい値よりも大きい前記第２の位置推定の差から存在することを決定することと、
前記不一致に基づいて、前記基地局アルマナックサーバに、前記少なくとも３つの基地局に関するクラウドソーシング情報を送ることとを含み、
ここにおいて、前記クラウドソーシング情報は、
前記少なくとも３つの基地局の各特定の基地局に対するセルラー識別子と
第１の位置推定および第２の位置推定と
を備える方法。
[Ｃ５２]  前記少なくとも３つの基地局と前記モバイルデバイスの間の範囲情報を測定することをさらに備え、
ここにおいて、前記クラウドソーシング情報は、前記範囲情報を備えるＣ５１に記載の方法。
[Ｃ５３]  前記少なくとも３つの基地局と前記モバイルデバイスの間の範囲情報を測定することをさらに備え、
ここにおいて、前記第１の位置推定は、前記範囲情報に基づくＣ５１に記載の方法。
[Ｃ５４]  前記モバイルデバイスの前記第２の位置推定は、全地球型衛星航法システム（ＧＮＳＳ）位置推定を備えるＣ５１に記載の方法。
[Ｃ５５]  前記モバイルデバイスの前記第２の位置推定は、基地局の信号に基づく位置推定を備えるＣ５１に記載の方法。
[Ｃ５６]  前記基地局アルマナックサーバから前記しきい値を受信することをさらに備えるＣ５１に記載の方法。